(57)【要約】【課題】コストの増加を抑制しつつ、ロータコアに設置された永久磁石を適切に着磁する。【解決手段】ロータコアに形成された磁石挿入孔に着磁前の永久磁石を挿入する第１工程＃１と、磁石挿入孔における永久磁石との隙間に磁石固定材を注入する第２工程＃２と、ロータコア及び永久磁石を加熱して磁石固定材を硬化させる第３工程＃３と、第３工程＃３の後、ロータコア及び永久磁石の温度が常温ＴＲまで低下する前に、永久磁石を着磁する第４工程＃４とを実施する。【選択図】図２
2020137182.tif 000002
【特許請求の範囲】
【請求項１】
回転電機用ロータの製造方法であって、
ロータコアに形成された磁石挿入孔に着磁前の永久磁石を挿入する第１工程と、
前記磁石挿入孔に磁石固定材を注入する第２工程と、
前記ロータコア及び前記永久磁石を加熱して前記磁石固定材を硬化させる第３工程と、
前記第３工程の後、前記ロータコア及び前記永久磁石の温度が常温まで低下する前に、前記永久磁石を着磁する第４工程と、を備える回転電機用ロータの製造方法。
【請求項２】
前記ロータコアは、ロータ軸が貫通する軸挿入孔を有し、前記軸挿入孔の内径は、前記ロータ軸の外径以下であり、前記第３工程の後、前記第４工程の前に、前記ロータ軸を前記軸挿入孔に挿入する第５工程を行う、請求項１に記載の回転電機用ロータの製造方法。
【請求項３】
前記ロータコアは、ロータ軸が貫通する軸挿入孔を有し、前記軸挿入孔の内径は、前記ロータ軸の外径以下であり、前記第４工程の後、前記ロータコア及び前記永久磁石の温度が、常温まで低下する前に、前記ロータ軸を前記軸挿入孔に挿入する第５工程を行う、請求項１に記載の回転電機用ロータの製造方法。
【請求項４】
前記第３工程は、前記ロータコア及び前記永久磁石を加熱して、前記常温よりも高い温度である前記磁石固定材の硬化温度まで昇温させて前記磁石固定材を硬化させる工程であり、
前記第４工程は、前記硬化温度まで昇温された前記ロータコア及び前記永久磁石の温度が前記常温まで低下する前に、前記永久磁石を着磁する工程である、請求項１から３の何れか一項に記載の回転電機用ロータの製造方法。
【発明の詳細な説明】
【技術分野】
【０００１】
本発明は、回転電機用ロータの製造方法に関する。
【背景技術】
【０００２】
車両の駆動力源や車両の電力源には、しばしば永久磁石型の回転電機が用いられる。例えば特開２０１６−１２９４８４号公報に開示されているように、このような回転電機では、ロータコアに形成された磁石挿入孔に挿入された永久磁石は、磁石挿入孔との隙間に熱硬化樹脂を注入されてロータコアに固定される。また、例えば回転電機のロータ軸は、特開２０１６−２２０４０４号公報に開示されているように、加熱によってロータ挿入孔が膨張したロータコアに挿入され、その後、放熱によって収縮したロータコアに固定される。通常、このようにロータコアに永久磁石を固定する工程や、ロータコアにロータ軸を取り付ける工程は、独立して実施され、それぞれの工程によって回転電機用ロータの中間アッセンブリが形成される。
【先行技術文献】
【特許文献】
【０００３】
【特許文献１】特開２０１６−１２９４８４公報
【特許文献２】特開２０１６−２２０４０４公報
【発明の概要】
【発明が解決しようとする課題】
【０００４】
ところで、磁石挿入孔への挿入前に永久磁石が磁性を帯びていると、ロータコアに対する吸引力が作用して、適切に磁石挿入孔へ挿入できないおそれがある。このため、多くの場合、永久磁石はロータコアへ設置された後に着磁される。このため、着磁は、上述したように、ロータコアに永久磁石が固定された後の中間アッセンブリ、或いはさらにロータ軸が取り付けられた後の中間アセンブリに対して実施されることが多い。当然ながら、このような回転電機においては、永久磁石には高い保磁力が求められるが、一般的に高い保磁力を有する永久磁石は、磁力の変化を起こしにくいため、着磁もし難いという性質がある。１つの方法として、永久磁石の保磁力が比較的低くなる環境下、例えば高温環境下で着磁を行うことが考えられるが、そのために加熱炉を設け、加熱後に着磁を実施すると、設備費用や、工程の増加による製造コストが増加するおそれがある。
【０００５】
上記背景に鑑みて、コストの増加を抑制しつつ、ロータコアに設置された永久磁石を適切に着磁する技術の提供が望まれる。
【課題を解決するための手段】
【０００６】
上記に鑑みた回転電機用ロータの製造方法は、１つの態様として、ロータコアに形成された磁石挿入孔に着磁前の永久磁石を挿入する第１工程と、前記磁石挿入孔に磁石固定材を注入する第２工程と、前記ロータコア及び前記永久磁石を加熱して前記磁石固定材を硬化させる第３工程と、前記第３工程の後、前記ロータコア及び前記永久磁石の温度が常温まで低下する前に、前記永久磁石を着磁する第４工程と、を備える。
【０００７】
この製造方法によれば、第３工程において磁石固定材を硬化させるために加熱されたロータコア及び永久磁石の温度が常温まで低下する前に第４工程を行って、永久磁石を着磁する。一般的に、高温環境下では、永久磁石の保磁力が比較的低くなるため着磁がし易い。本製造方法では、第４工程を行う際に改めてロータコアを加熱する必要がないので、加熱炉を設けたり、再加熱の工程を設けたりする必要がない。このため、回転電機用ロータの製造コストが上昇することを抑制することができる。このように、本製造方法によれば、コストの増加を抑制しつつ、ロータコアに設置された永久磁石を適切に着磁する技術を提供することができる。
【０００８】
回転電機用ロータの製造方法のさらなる特徴と利点は、図面を参照して説明する実施形態についての以下の記載から明確となる。
【図面の簡単な説明】
【０００９】
【図１】製造方法の一例を示すフローチャート
【図２】図１における各工程とロータコアの温度との関係の一例を示す図
【図３】挿入工程の一例を示す説明図
【図４】硬化工程を経た後の中間アセンブリの一例を示す図
【図５】取付工程の一例を示す説明図
【図６】ロータの一例を示す図
【図７】製造方法の他の例を示すフローチャート
【図８】図７における各工程とロータコアの温度との関係の一例を示す図
【図９】製造方法の他の例を示すフローチャート
【図１０】図９における各工程とロータコアの温度との関係の一例を示す図
【図１１】図１、図７、図９の製造方法の比較例を示すフローチャート
【図１２】図１１における各工程とロータコアの温度との関係の一例を示す図
【発明を実施するための形態】
【００１０】
以下、車両の駆動力源や車両の電力源となる永久磁石型の回転電機用ロータの製造方法の実施形態を図面に基づいて説明する。図１のフローチャートは、ロータ１０（回転電機用ロータ）の製造方法の一例を示しており、図２は、図１における各工程とロータコアの温度との関係の一例を示している。図３から図６は、ロータ１０を構成する部材と共に、いくつかの工程及び工程を経て生成される物を模式的に示している。図３から図６に示すように、ここでは埋込磁石型の回転電機を例として、当該回転電機のロータ１０の製造方法について説明する。しかし、この製造方法は、埋込磁石型に限らず、表面磁石型の回転電機に適用することも可能である。
【００１１】
図１に示すように、ロータ１０は、挿入工程＃１（第１工程）、注入工程＃２（第２工程）、硬化工程＃３（第３工程）、着磁工程＃４（第４工程）を経て製造される。図３に示すように、挿入工程＃１は、ロータコア１に形成された磁石挿入孔２に着磁前の永久磁石３を挿入する工程である。磁石挿入孔２へ挿入される前に永久磁石３が磁性を帯びていると、ロータコア１に対する吸引力が作用して、適切に磁石挿入孔２へ挿入できないおそれがある。このため、挿入工程＃１では、磁化していない永久磁石３（磁性体材料）が磁石挿入孔２へ挿入される。尚、永久磁石３としては、例えば、ネオジム磁石やサマリウムコバルト磁石などである。
【００１２】
注入工程＃２は、磁石挿入孔２に磁石固定材５（支持材）を注入する工程である。尚、挿入工程＃１（第１工程）と注入工程＃２（第２工程）とは、図１に示す順序とは逆の順序で実施されてもよい。注入工程＃２が挿入工程＃１の後に実施される場合、注入工程＃２は、磁石挿入孔２における永久磁石３と磁石挿入孔２との隙間に磁石固定材５を注入する工程である。注入工程＃２が挿入工程＃１の前に実施される場合、挿入工程＃１は、磁石固定材５が注入された磁石挿入孔２に着磁前の永久磁石３を挿入する工程である。磁石挿入孔２に挿入された永久磁石３はそのままでは、磁石挿入孔２から脱落する可能性があるため、例えば熱硬化性樹脂や接着剤、発泡材などの磁石固定材５を用いてロータコア１に固定される。注入工程＃２は、固定に先立って、磁石挿入孔２に磁石固定材５を注入する工程である。硬化工程＃３は、ロータコア１及び永久磁石３を加熱して磁石固定材５を硬化させる工程である。本実施形態では、硬化工程＃３において、ロータコア１及び永久磁石３が、磁石固定材５の硬化温度Ｔ３である概ね摂氏１２０度〜２００度程度に加熱される。
【００１３】
着磁工程＃４は、硬化工程＃３の後、ロータコア１及び永久磁石３の温度が常温ＴＲまで低下する前に、永久磁石３を着磁する工程である。ここで、常温ＴＲとは、常温ＴＲとして予め規定された範囲の温度（温度域）を言い、例えば摂氏１０度から３５度の範囲内に設定された規定温度域などである。上述したように、硬化工程＃３では、ロータコア１及び永久磁石３が、概ね摂氏１２０度〜２００度程度に加熱され、この温度は常温ＴＲとして規定される温度域よりも高い温度である。従って、「常温ＴＲまで低下する前」は、この温度域の上限温度よりも低下する前と同義である。例えば、常温ＴＲの温度域が摂氏１０度から３５度の範囲の場合には、硬化工程＃３の後、ロータコア１及び永久磁石３が摂氏３５度まで低下する前に、着磁工程＃４が実施される。当然ながら、着磁工程＃４は、常温ＴＲまで低下する前であれば、さらに高い温度で実施されてもよい。即ち、常温ＴＲの温度域よりも高い温度である高温環境下では、常温ＴＲの場合と比較して永久磁石の保磁力が低くなるため着磁がし易い。従って、着磁工程＃４は、ロータコア１及び永久磁石３の温度が常温ＴＲよりも高い温度である着磁温度Ｔ４、例えば摂氏８０度以上で実施されると好適である。
【００１４】
図２は、図１を参照して説明した挿入工程＃１、注入工程＃２、硬化工程＃３、着磁工程＃４におけるロータコア１及び永久磁石３の温度の推移の一例を示している。図２に示すように、挿入工程＃１及び注入工程＃２は、ロータコア１及び永久磁石３の温度が常温ＴＲ（下限温度Ｔ１：例えば摂氏０度、上限温度Ｔ２：例えば摂氏３５度）において実施される。好ましくは、挿入工程＃１及び注入工程＃２は、工場等、温度が管理された場所における常温環境下（例えば摂氏２５度前後）で実施される。尚、注入工程＃２では溶融した磁石固定材５が注入される場合があり、この際にロータコア１及び永久磁石３の温度が上昇して常温ＴＲを超えてもよい。即ち、磁石固定材５の硬化温度Ｔ３よりも低い温度であれば、高温環境下（例えば摂氏１００度）において注入工程＃２を実施しても良い。
【００１５】
硬化工程＃３では、ロータコア１及び永久磁石３の温度が磁石固定材５の硬化温度Ｔ３（例えば摂氏１２０度〜２００度）となるように、ロータコア１及び永久磁石３が加熱される。着磁工程＃４は、ロータコア１及び永久磁石３の温度が常温ＴＲまで低下する前、好ましくは着磁温度Ｔ４（例えば摂氏８０度）以上で実施される。着磁工程＃４に先立って実施される硬化工程＃３では、ロータコア１及び永久磁石３の温度が着磁温度Ｔ４よりも高い硬化温度Ｔ３まで加熱されている。従って、着磁工程＃４では改めてロータコア１及び永久磁石３を加熱することなく、着磁温度Ｔ４において適切に永久磁石３を着磁することができる。
【００１６】
ところで、ロータコア１は、図３から図５に示すように、ロータ軸６が貫通する軸挿入孔４を有している。常温ＴＲにおいて、軸挿入孔４の内径φ１は、ロータ軸６の外径φ２以下である。このため、例えば、ロータコア１を加熱し、軸挿入孔４の内径φ１を熱膨張によりロータ軸６の外径φ２よりも拡大させて、軸挿入孔４にロータ軸６が挿入される。この際の加熱の温度は、例えば摂氏１００度である。ロータコア１の温度が低下すると軸挿入孔４の内径φ１が収縮により縮小するので、ロータ軸６がロータコア１に固定される。つまり、いわゆる焼き締めによってロータ軸６がロータコア１に取り付けられる。尚、取付工程＃５は、焼き締めに限らず、圧入によって実施されてもよい。
【００１７】
図７に示すように、硬化工程＃３の後、着磁工程＃４の前に、ロータ軸６を軸挿入孔４に挿入してロータコア１にロータ軸６を取り付ける取付工程＃５（第５工程）が行われる。即ち、図５に示すように、硬化工程＃３を経て形成された中間アッセンブリ２０の軸挿入孔４にロータ軸６を挿入して、図６に示すようなロータ１０が形成される。図７に示すように、硬化工程＃３においてロータコア１及び永久磁石３（中間アッセンブリ２０）が加熱された後に、取付工程＃５が実施されると、焼き締めの際に再加熱する必要がなくなる。或いは、焼き締めの際の再加熱量が低減される。このため、取付工程＃５の時間が短縮されて、ロータ１０の製造コストが上昇することを抑制することができる。
【００１８】
図８は、図７を参照して説明した挿入工程＃１、注入工程＃２、硬化工程＃３、取付工程＃５、着磁工程＃４におけるロータコア１及び永久磁石３の温度の推移の一例を示している。図８に示すように、挿入工程＃１及び注入工程＃２は、ロータコア１及び永久磁石３の温度が常温ＴＲにおいて実施される。図２を参照して上述したように、注入工程＃２では溶融した磁石固定材５が注入される場合があり、この際にロータコア１及び永久磁石３の温度が上昇して常温ＴＲを超えてもよい。硬化工程＃３では、ロータコア１及び永久磁石３の温度が硬化温度Ｔ３（例えば摂氏１２０度〜２００度）となるように、ロータコア１及び永久磁石３が加熱され、中間アッセンブリ２０が形成される。
【００１９】
取付工程＃５は、ロータコア１及び永久磁石３の温度（中間アッセンブリ２０の温度）が取付温度Ｔ５（例えば摂氏１００度）以上で実施される。取付工程＃５に先立って実施される硬化工程＃３では、ロータコア１及び永久磁石３の温度が取付温度Ｔ５よりも高い硬化温度Ｔ３まで加熱されている。従って、取付工程＃５では改めて中間アッセンブリ２０（ロータコア１及び永久磁石３）を加熱することなく、取付温度Ｔ５において適切にロータ軸６をロータコア１（中間アッセンブリ２０）に取り付けることができる。
【００２０】
取付工程＃５の後に実施される着磁工程＃４は、ロータコア１及び永久磁石３の温度が常温ＴＲまで低下する前、好ましくは着磁温度Ｔ４（例えば摂氏８０度）以上で実施される。着磁工程＃４に先立って実施される取付工程＃５は、ロータコア１及び永久磁石３の温度が着磁温度Ｔ４よりも高い取付温度Ｔ５で実施されている。従って、着磁工程＃４では改めてロータコア１及び永久磁石３を加熱することなく、着磁温度Ｔ４以上で適切に永久磁石３を着磁することができる。
【００２１】
上記においては、図７及び図８を参照して、硬化工程＃３の後、着磁工程＃４の前に、取付工程＃５が実施される形態を説明した。しかし、図９に示すように、取付工程＃５は、着磁工程＃４の後に実施されてもよい。この際、取付工程＃５は、ロータコア１及び永久磁石３の温度（中間アッセンブリ２０の温度）が、常温ＴＲまで低下する前に、実施されると好適である。例えば、軸挿入孔４の内径φ１は、常温ＴＲにおいてロータ軸６の外径φ２以下であり、常温ＴＲの最大温度（上限温度Ｔ２）においてロータ軸６の外径φ２より大きくなるように設定されていると好適である。当然ながら、取付工程＃５において必要に応じて中間アッセンブリ２０が再加熱されても良い。取付工程＃５が圧入によって実施される場合も、常温ＴＲよりも高い温度であれば、軸挿入孔４が膨張しており、圧入時に必要な力が軽減される。
【００２２】
図１０は、図９を参照して説明した挿入工程＃１、注入工程＃２、硬化工程＃３、着磁工程＃４、取付工程＃５におけるロータコア１及び永久磁石３の温度の推移の一例を示している。図１０に示すように、挿入工程＃１及び注入工程＃２は、ロータコア１及び永久磁石３の温度が常温ＴＲにおいて実施される。図２及び図８を参照して上述したように、注入工程＃２では溶融した磁石固定材５が注入される場合があり、この際にロータコア１及び永久磁石３の温度が上昇して常温ＴＲを超えてもよい。硬化工程＃３では、ロータコア１及び永久磁石３の温度が硬化温度Ｔ３（例えば摂氏１２０度〜１８０度）となるように、ロータコア１及び永久磁石３が加熱され、中間アッセンブリ２０が形成される。
【００２３】
着磁工程＃４は、ロータコア１及び永久磁石３の温度（中間アッセンブリ２０の温度）が常温ＴＲまで低下する前、好ましくは着磁温度Ｔ４（例えば摂氏８０度）以上で実施される。着磁工程＃４に先立って実施される硬化工程＃３では、ロータコア１及び永久磁石３の温度が着磁温度Ｔ４よりも高い硬化温度Ｔ３まで加熱されている。従って、着磁工程＃４では改めてロータコア１及び永久磁石３を加熱することなく、着磁温度Ｔ４以上で適切に永久磁石３を着磁することができる。
【００２４】
取付工程＃５は、ロータコア１及び永久磁石３の温度（中間アッセンブリ２０の温度）が常温ＴＲまで低下する前に実施される。取付工程＃５に先立って実施される着磁工程＃４は、ロータコア１及び永久磁石３の温度が常温ＴＲよりも高い着磁温度Ｔ４で実施されている。従って、取付工程＃５では、ロータコア１（軸挿入孔４）の膨張を利用して、適切に圧入によりロータ軸６を軸挿入孔４に挿入することができる。上述したように、当然ながら、取付工程＃５において必要に応じて中間アッセンブリ２０が再加熱されても良い（例えば、図１０に破線で示す形態）。この場合においても、常温ＴＲから取付温度Ｔ５まで加熱する場合に比べて、加熱量を低減することができる。
【００２５】
図１１及び図１２は、上述したような製造方法に対する比較例を示している。図１１は、図１、図７、図９のフローチャートに対する比較例のフローチャートである。図１２は、図１１に示すフローチャートの各工程におけるロータコア１及び永久磁石３の温度の推移の一例を示している。
【００２６】
図１１に示すように、比較例では、挿入工程＃１、注入工程＃２、硬化工程＃３を含む第１工程群＄１と、着磁工程＃４及び取付工程＃５を含む第２工程群＄２とが、連続することなく実施される。つまり、第１工程群＄１と第２工程群＄２との間に、保管・運搬工程＃１０が実施され、第１工程群＄１と第２工程群＄２との連続性が遮断されている。保管・運搬工程＃１０は、第１工程群＄１を実施した後、第２工程群＄２を実施するまでの間、中間アッセンブリ２０を保管しておく工程、或いは、第１工程群＄１を実施した場所から第２工程群＄２を実施する場所まで、中間アッセンブリ２０を運搬する工程である。この運搬には、トラック等の輸送手段を用いて異なる工場間を移動することも含まれる。
【００２７】
このように、第１工程群＄１と第２工程群＄２との間に、保管・運搬工程＃１０が実施されると、図１２に示すように、保管・運搬工程＃１０の間に、中間アッセンブリ２０の温度（ロータコア１及び永久磁石３の温度）が常温ＴＲまで低下する。このため、第２工程群＄２の工程（取付工程＃５又は着磁工程＃４）を実施する際には、再加熱が必要となり、工数の増加を招く。これに対して、図１から図１０を参照して上述した製造方法では、そのような工数の増加が抑制され、製造コストを低減することができる。
【００２８】
〔実施形態の概要〕
以下、上記において説明した回転電機用ロータコアの製造方法の概要について簡単に説明する。
【００２９】
回転電機用ロータの製造方法は、１つの態様として、ロータコア（１）に形成された磁石挿入孔（２）に着磁前の永久磁石（３）を挿入する第１工程（＃１）と、前記磁石挿入孔（２）に磁石固定材（５）を注入する第２工程（＃２）と、前記ロータコア（１）及び前記永久磁石（３）を加熱して前記磁石固定材（５）を硬化させる第３工程（＃３）と、前記第３工程（＃３）の後、前記ロータコア（１）及び前記永久磁石（３）の温度が常温（ＴＲ）まで低下する前に、前記永久磁石（３）を着磁する第４工程（＃４）と、を備える。
【００３０】
この製造方法によれば、第３工程（＃３）において磁石固定材（５）を硬化させるために加熱されたロータコア（１）及び永久磁石（３）の温度が常温まで低下する前に第４工程（＃４）を行って、永久磁石（３）を着磁する。一般的に、高温環境下では、永久磁石（３）の保磁力が比較的低くなるため着磁がし易い。本製造方法では、第４工程（＃４）を行う際に改めてロータコア（１）を加熱する必要がないので、加熱炉を設けたり、再加熱の工程を設けたりする必要がない。このため、回転電機用ロータ（１０）の製造コストが上昇することを抑制することができる。このように、本製造方法によれば、コストの増加を抑制しつつ、ロータコア（１）に設置された永久磁石（３）を適切に着磁する技術を提供することができる。
【００３１】
また、１つの態様として、前記ロータコア（１）が、ロータ軸（６）が貫通する軸挿入孔（４）を有し、前記軸挿入孔（４）の内径（φ１）が、前記ロータ軸（６）の外径（φ２）以下である場合、回転電機用ロータの製造方法は、前記第３工程（＃３）の後、前記第４工程（＃４）の前に、前記ロータ軸（６）を前記軸挿入孔（４）に挿入する第５工程（＃５）を行うと好適である。
【００３２】
軸挿入孔（４）の内径（φ１）が、ロータ軸（６）の外径（φ２）以下である構成において、ロータコア（１）を加熱して、熱膨張により軸挿入孔（４）の内径（φ１）をロータ軸（６）の外径（φ２）よりも拡大させて、軸挿入孔（４）にロータ軸（６）を挿入する場合がある。ロータコア（１）の温度が低下すると収縮により軸挿入孔（４）の内径（φ１）が縮小するので、ロータ軸（６）がロータコア（１）に固定される。このように、いわゆる焼き締めによってロータ軸（６）がロータコア（１）に取り付けられる場合がある。本製造方法によれば、磁石固定材（５）を硬化させるために第３工程（＃３）においてロータコア（１）及び永久磁石（３）が加熱された後に、第５工程（＃５）が実施される。従って、焼き締めの際の加熱量が低減され、或いは焼き締めの際に再加熱する必要がなく、第５工程（＃５）の時間が短縮されて、回転電機用ロータ（１０）の製造コストが上昇することを抑制することができる。尚、第５工程（＃５）は焼き締めではなく、圧入等によって実施することもできる。この場合も、第３工程（＃３）の後に第５工程（＃５）が行われることで、ロータコア（１）の膨張（軸挿入孔（４）の膨張）を利用して、適切にロータ軸（６）を軸挿入孔（４）に圧入することができる。また、第４工程（＃４）は第５工程（＃５）の後で実施される。第５工程（＃５）においてロータコア（１）及び永久磁石（３）の温度が高くなっているので、第４工程（＃４）を行う際に改めてロータコア（１）を加熱する必要がなく、上述したように回転電機用ロータ（１０）の製造コストが上昇することを抑制することができる。
【００３３】
また、１つの態様として、前記ロータコア（１）が、ロータ軸（６）が貫通する軸挿入孔（４）を有し、前記軸挿入孔（４）の内径（φ１）が、前記ロータ軸（６）の外径（φ２）以下である場合、回転電機用ロータの製造方法は、前記第４工程（＃４）の後、前記ロータコア（１）及び前記永久磁石（３）の温度が、常温（ＴＲ）まで低下する前に、前記ロータ軸（６）を前記軸挿入孔（４）に挿入する第５工程（＃５）を行うと好適である。
【００３４】
上述したように、第５工程（＃５）は、焼き締めや圧入によって実施することができる。本製造方法では、第４工程（＃４）において常温（ＴＲ）よりも高い温度で着磁が実施された後、ロータコア（１）及び永久磁石（３）の温度が常温（ＴＲ）まで低下する前に、第５工程（＃５）が実施される。第５工程（＃５）を圧入により実施する場合には、軸挿入孔（４）の膨張を利用して、適切にロータ軸（６）を軸挿入孔（４）に挿入することができる。また、第５工程（＃５）を焼き締めにより実施する場合にも、ロータ軸（６）と軸挿入孔（４）との寸法差によっては、第５工程（＃５）において再加熱は必要なく、再加熱が必要な場合も加熱量が低減される。従って、第５工程（＃５）の時間が短縮されて、回転電機用ロータ（１０）の製造コストが上昇することを抑制することができる。
【００３５】
ここで、前記第３工程（＃３）は、前記ロータコア（１）及び前記永久磁石（３）を加熱して、前記常温（ＴＲ）よりも高い温度である前記磁石固定材（５）の硬化温度（Ｔ３）まで昇温させて前記磁石固定材（５）を硬化させる工程であり、前記第４工程（＃４）は、前記硬化温度（Ｔ３）まで昇温された前記ロータコア（１）及び前記永久磁石（３）の温度が前記常温（ＴＲ）まで低下する前に、前記永久磁石（３）を着磁する工程であると好適である。
【００３６】
上述したように、高温環境下では、永久磁石（３）の保磁力が比較的低くなるため着磁がし易い。本製造方法によれば、第３工程（＃３）において磁石固定材（５）を硬化させるために磁石固定材（５）の硬化温度（Ｔ３）まで昇温されたロータコア（１）及び永久磁石（３）の温度が常温まで低下する前に第４工程（＃４）を行って、永久磁石（３）を着磁する。このため、第４工程（＃４）を行う際に改めてロータコア（１）及び永久磁石（３）を加熱する必要がなく、回転電機用ロータ（１０）の製造コストが上昇することを抑制することができる。
【符号の説明】
【００３７】
１        ：ロータコア
２        ：磁石挿入孔
３        ：永久磁石
４        ：軸挿入孔
５        ：磁石固定材
６        ：ロータ軸
１０      ：ロータ（回転電機用ロータ）
Ｔ３      ：硬化温度
ＴＲ      ：常温
＃１      ：挿入工程（第１工程）
＃２      ：注入工程（第２工程）
＃３      ：硬化工程（第３工程）
＃４      ：着磁工程（第４工程）
＃５      ：取付工程（第５工程）
φ１      ：軸挿入孔の内径
φ２      ：ロータ軸の外径
【図１】
2020137182.tif 000003
【図２】
2020137182.tif 000004
【図３】
2020137182.tif 000005
【図４】
2020137182.tif 000006
【図５】
2020137182.tif 000007
【図６】
2020137182.tif 000008
【図７】
2020137182.tif 000009
【図８】
2020137182.tif 000010
【図９】
2020137182.tif 000011
【図１０】
2020137182.tif 000012
【図１１】
2020137182.tif 000013
【図１２】
2020137182.tif 000014